(57)【要約】【課題】  玉受け部を前後方向の移動に係る機構と左右方向の移動に係る機構の両方に関わる一つの止め部材で固定することができるパチンコ玉回収装置を提供する。【解決方法】  長手方向がパチンコ機２の横幅方向と平行となるようにアウト玉回収樋５の上方に設置されるベース部材７９と、ベース部材７９の長手方向に沿ってスライド移動する左右スライド部材５０と、玉受け部１０の下部に設けられてベース部材７９の長手方向と直交する方向で左右スライド部材５０に対してスライド移動する前後スライド部材２９と、ベース部材７９に備えられた取付部材９０に取り付けられて左右スライド部材５０及び前後スライド部材２９を共にベース部材７９に固定する止め部材５６と、を備えたことにより、玉受け部１０を前後方向の移動と左右方向の移動に係る機構の両方に関わる一つの止め部材５６で、左右スライド部材５０及び前後スライド部材２９を固定することができる。【選択図】        図１
2005319126.tif 000002
【特許請求の範囲】
【請求項１】
パチンコ玉を使用する遊技機の後面側から排出されたパチンコ玉を受け入れる玉受け部と、該玉受け部で受け入れたパチンコ玉を一列に転動させて前記パチンコ島台の所定の回収樋へ排出する玉排出部と、からなるパチンコ玉回収装置において、
長手方向が前記遊技機の横幅方向と平行となるように前記所定の回収樋の上方に設置されるベース部材と、
該ベース部材の長手方向に沿ってスライド移動する左右スライド部材と、
前記玉受け部の下部に設けられ且つ前記ベース部材の長手方向と直交する方向で前記左右スライド部材に対してスライド移動する前後スライド部材と、
前記ベース部材に備えられた取付部材に取り付けられ且つ前記左右スライド部材及び前記前後スライド部材を共に前記ベース部材に対して固定する止め部材と、を備えたことを特徴とするパチンコ玉回収装置。
【請求項２】
前記ベース部材の上面には、前記止め部材が挿通される挿通溝が前記ベース部材の長手方向に沿って形成され、
前記左右スライド部材には、その上面の一側方に前記止め部材が挿通される挿通穴が形成され、
前記前後スライド部材には、前記挿通穴と対応する一側方に前記止め部材が挿通される挿通長穴が前記ベース部材の長手方向と直交する方向で形成され、
前記止め部材は、該止め部材を回動操作するための操作部と該操作部に連接すると共に螺合溝が形成される螺合材とから構成され、
前記取付部材は、前記挿通溝の裏側に配置されると共に前記螺合材が螺着する螺合穴が形成され、
前記前後スライド部材及び前記左右スライド部材は、前記挿通長穴、前記挿通穴、前記挿通溝の順に挿通した前記止め部材を前記取付部材の螺合穴に螺着し、前記前後スライド部材、前記左右スライド部材、前記ベース部材の上面を前記操作部と前記止め部材とで挟持することにより、前記ベース部材に対して固定されることを特徴とする請求項１記載のパチンコ玉回収装置。
【請求項３】
前記玉受け部は、
該玉受け部の外形に沿った湾曲形状で前記玉排出部の上流側に形成される上流湾曲部と一体的に円筒形状で形成され、
前記玉排出部は、
前記上流湾曲部と、該上流湾曲部とは逆向きの湾曲形状で形成され且つ前記上流湾曲部の下流側に接続する下流湾曲部と、直線形状で形成され且つ前記下流湾曲部の下流側に接続する下流直線部と、から構成されると共に、前記下流湾曲部から下流側の部分が前記玉受け部から突出して形成され、
前記玉受け部の底面部の中心を回転中心として前記玉受け部を所定範囲内で回転させる回転機構が設けられ、
前記止め部材は、前記玉受け部が前記所定範囲内に位置している場合において、前記下流湾曲部の湾曲部外周側に位置することなく湾曲部内周側に位置するよう配置されていることを特徴とする請求項１又は請求項２に記載のパチンコ玉回収装置。
【請求項４】
前記玉受け部の外周壁の外周には、上下方向に伸縮する伸縮カバーが設けられていることを特徴とする請求項１乃至請求項３のいずれかに記載のパチンコ玉回収装置。
【発明の詳細な説明】
【技術分野】
【０００１】
本発明は、パチンコ玉を使用する遊技機の後面側から排出されたパチンコ玉を受け入れる玉受け部と、該玉受け部で受け入れたパチンコ玉を一列に転動させて前記パチンコ島台の所定の回収樋へ排出する玉排出部と、からなるパチンコ玉回収装置に関するものである。
【背景技術】
【０００２】
パチンコ島台に設置されたパチンコ機等の遊技機の裏面側に設置されたアウト玉排出口から排出されるパチンコ玉（アウト玉）を回収するパチンコ玉回収装置として、従来から様々な技術思想のもとに数多く開発・設計されてきた。これらパチンコ玉回収装置を開発・設計する上で重要な検討事項の１つに、パチンコ玉を受け止める部分である玉受け部を移動可能な構成とするか否かというものがあるが、本出願人においては、現在市場に流通しているパチンコ機の裏面側の構成を踏まえ、アウト玉排出口の設置位置に合わせて玉受け部を移動可能な構成とすることが有効であるとしている。
【０００３】
また、その移動方向には、前後方向，左右方向，上下方向があるが、それらすべての方向で玉受け部を移動させる必要があるか、との検討も必要となる。この検討事項に対し、本出願人は、玉受け部の底面部表面に低反発性若しくは無反発性のシートを貼付することにより、パチンコ玉が高い位置から排出された場合であっても、パチンコ玉が弾んで玉受け部の外に出てしまうことを防止できるため、上記したシートを貼付した上で玉受け部をもっとも低い位置に設置すればよく、アウト玉排出口の高さの違いに合わせて玉受け部の高さを調整するための上下方向での移動は不要であるとしている。即ち、玉受け部は前後方向と左右方向の二方向で移動可能であれば十分としている。
【０００４】
これにより、玉受け部を上下方向で移動させる機構が不要となるため、玉受け部を移動させる機構全体も簡素化することができ、低反発性若しくは無反発性のシートのコスト分が増加しても、全体として製造コストを削減することができた。
【０００５】
ところで、本出願人は、特開平８−２８０９２２号公報（特許文献１）に開示されるパチンコ玉回収装置を提案しているが、このパチンコ玉回収装置では、前後方向，左右方向，上下方向で移動可能な玉受け部が開示されており、前後方向に係る機構と上下方向に係る機構の２つの機構に関しては、左右両側方１箇所ずつの止め部材で玉受け部を固定し、また、左右方向に係る機構に関しては、別の止め部材で固定していた。
【０００６】
即ち、上記した特許文献１に開示されるパチンコ玉回収装置においては、玉受け部の左右方向の移動は、少なくとも、前後方向に係る機構とは関わりを持たない別の止め部材を用いて固定していた。
【特許文献１】特開平８−２８０９２２号公報
【発明の開示】
【発明が解決しようとする課題】
【０００７】
しかしながら、前述したように、パチンコ玉回収装置の玉受け部の移動方向は、左右方向と前後方向の二方向で十分であり、上記した特許文献１に開示される技術思想をそのまま適用すると、左右方向に係る機構と前後方向に係る機構とで、それぞれ別の止め部材を設けなければ玉受け部を固定することができないこととなる。
【０００８】
上記のように左右方向に係る機構と前後方向に係る機構とを別々の止め部材で固定するのではなく、両方の機構に関わる一つの止め部材によって玉受け部を固定することにより、製造コストの面及び作業者（パチンコ玉回収装置の玉受け部の位置を固定する者）が玉受け部を固定する際の作業負担の面からも有利である。
【０００９】
そこで、本発明は、上記した事情に鑑みなされたもので、その目的とするところは、玉受け部を前後方向の移動に係る機構と左右方向の移動に係る機構の両方に関わる一つの止め部材で固定することにより、製造コストの削減及び作業者の作業負担の軽減を図ることができるパチンコ玉回収装置を提供することにある。
【課題を解決するための手段】
【００１０】
そこで、請求項１に係る発明について、図面を参照して説明すると、図１及び図７に示すように、パチンコ玉を使用する遊技機としてのパチンコ機２の後面側から排出されたパチンコ玉を受け入れる玉受け部１０と、該玉受け部１０で受け入れたパチンコ玉を一列に転動させて前記パチンコ島台１の所定の回収樋へ排出する玉排出部１１と、からなるパチンコ玉回収装置４において、長手方向が前記パチンコ機２の横幅方向と平行となるように前記所定の回収樋としてのアウト玉回収樋５の上方に設置されるベース部材７９と、該ベース部材７９の長手方向（左右方向）に沿ってスライド移動する左右スライド部材５０と、前記玉受け部１０の下部に設けられ且つ前記ベース部材７９の長手方向と直交する方向（前後方向）で前記左右スライド部材５０に対してスライド移動する前後スライド部材２９と、前記ベース部材７９に備えられた取付部材９０に取り付けられ且つ前記左右スライド部材５０及び前記前後スライド部材２９を共に前記ベース部材７９に対して固定する止め部材５６と、を備えたことを特徴とするパチンコ玉回収装置４とした。
【００１１】
また、請求項２に係る発明では、図面を参照して説明すると、図１及び図７に示すように、請求項１に記載されるパチンコ玉回収装置４は、前記ベース部材７９の上面には、前記止め部材５６が挿通される挿通溝８４が前記ベース部材７９の長手方向に沿って形成され、前記左右スライド部材５０には、その上面の一側方に前記止め部材５６が挿通される挿通穴５５が形成され、前記前後スライド部材２９には、前記挿通穴５５と対応する一側方に前記止め部材５６が挿通される挿通長穴２１が前記ベース部材７９の長手方向と直交する方向で形成され、前記止め部材５６は、該止め部材５６を回動操作するための操作部５２と該操作部５２に連接すると共に螺合溝が形成される螺合材５３とから構成され、前記取付部材９０は、前記挿通溝８４の裏側に配置されると共に前記螺合材５３が螺着する螺合穴９１が形成され、前記前後スライド部材２９及び前記左右スライド部材５０は、前記挿通長穴２１、前記挿通穴５５、前記挿通溝８４の順に挿通した前記止め部材５６を前記取付部材９０の螺合穴９１に螺着し、前記前後スライド部材２９、前記左右スライド部材５０、前記ベース部材７９の上面を前記操作部５２と前記止め部材５６とで挟持することにより、前記ベース部材７９に対して固定されることを特徴とするパチンコ玉回収装置４とした。
【００１２】
また、請求項３に係る発明では、図面を参照して説明すると、図９及び図１０に示すように、請求項１又は請求項２に記載されるパチンコ玉回収装置４は、前記玉受け部１０は、該玉受け部１０の外形に沿った湾曲形状で前記玉排出部１１の上流側に形成される上流湾曲部６０と一体的に円筒形状で形成され、前記玉排出部１１は、前記上流湾曲部６０と、該上流湾曲部６０とは逆向きの湾曲形状で形成され且つ前記上流湾曲部６０の下流側に接続する下流湾曲部６１と、直線形状で形成され且つ前記下流湾曲部６１の下流側に接続する下流直線部６２と、から構成されると共に、前記下流湾曲部６１から下流側の部分が前記玉受け部１０から突出して形成され、前記玉受け部１０の底面部としての傾斜底面１２の中心を回転中心として前記玉受け部１０を所定範囲内で回転させる回転機構が設けられ、前記止め部材５６は、前記玉受け部１０が前記所定範囲内に位置している場合において、前記下流湾曲部６１の湾曲部外周６３側に位置することなく湾曲部内周６４側に位置するよう配置されていることを特徴とするパチンコ玉回収装置４とした。
【００１３】
また、請求項４に係る発明では、図面を参照して説明すると、図１１に示すように、請求項１乃至請求項３のいずれかに記載されるパチンコ玉回収装置４は、前記玉受け部１０の外周壁１５の外周には、上下方向に伸縮する伸縮カバー１００が設けられていることを特徴とするパチンコ玉回収装置４とした。
【発明の効果】
【００１４】
請求項１に係る発明においては、パチンコ玉回収装置４は、長手方向が遊技機の横幅方向と平行に設置されるベース部材７９と、このベース部材７９の長手方向に沿ってスライド移動する左右スライド部材５０と、ベース部材７９の長手方向と直交する方向で左右スライド部材５０に対してスライド移動する前後スライド部材２９と、左右スライド部材５０及び前記前後スライド部材２９を前記ベース部材７９に対して固定する止め部材５６と、から構成されている。これにより、玉受け部１０を前後方向の移動に係る機構と左右方向の移動に係る機構の両方に関わる一つの止め部材５６で、左右スライド部材５０及び前後スライド部材２９を固定することができるため、パチンコ玉回収装置４の製造コストの削減及び、玉受け部１０を固定する際の作業者の作業負担の軽減を図ることができる。
【００１５】
請求項２に係る発明においては、ベース部材７９の上面に挿通溝８４が、左右スライド部材５０の上面の一側方に挿通穴５５が、前後スライド部材２９の一側方に挿通長穴２１が形成され、挿通長穴２１、挿通穴５５、挿通溝８４の順に挿通した止め部材５６を取付部材９０の螺合穴９１に螺着することにより、止め部材５６と取付部材９０とで左右スライド部材５０、前後スライド部材２９、ベース部材７９の上面が挟持され、左右スライド部材５０及び前記前後スライド部材２９がベース部材７９に対して固定される。このように、玉受け部１０を前後方向の移動に係る機構と左右方向の移動に係る機構の両方に関わる一つの止め部材５６で、左右スライド部材５０及び前後スライド部材２９を固定することができるため、パチンコ玉回収装置４の製造コストの削減及び、玉受け部１０を固定する際の作業者の作業負担の軽減を図ることができる。
【００１６】
請求項３に係る発明においては、玉受け部１０は、玉排出部１１と一体的に円筒形状で形成されると共に、玉受け部１０の底面部の中心を回転中心として玉受け部１０を回転させる回転機構が設けられている。これにより、玉排出部１１を傾斜底面１２の中心を回転中心として回動させることができるため、パチンコ玉の排出位置を変更することができる。このとき、玉受け部１０が円筒形状に形成されているため、玉受け部１０のパチンコ玉を受け止める領域がほとんど変わることがない。このように、玉受け部１０のパチンコ玉を受け止める領域をほとんど変えることなく、パチンコ玉の排出位置を自由に変更することができる。
【００１７】
また、玉排出部１１が湾曲形状で形成される上流湾曲部６０と、上流湾曲部６０とは逆向きの湾曲形状で形成される下流湾曲部６１と、直線形状で形成される下流直線部６２と、から構成されている。即ち、玉排出部１１が平面視で略Ｓ字形状に形成されているため、玉排出部１１の長手方向の寸法を抑えながら、パチンコ玉を一列に整列させてスムーズに所定の回収樋へ誘導させるために必要な玉排出部１１の通路の長さを確保することができる。
【００１８】
また、玉受け部１０が回転機構によって回転する所定範囲内に位置している場合において、止め部材５６は下流湾曲部６１の湾曲部外周６３側に位置することなく湾曲部内周６４側に位置するよう配置されている。これにより、前後スライド部材２９の長手方向の長さを短くし、止め部材５６を玉受け部１０の近傍に配置した場合であっても、止め部材５６と下流湾曲部６１とが干渉することがないため、玉受け部１０の回転による玉排出部１１の回動範囲をより広く確保することができる。
【００１９】
請求項４に係る発明においては、玉受け部１０の外周壁１５の外周には、上下方向に伸縮する伸縮カバー１００が設けられているため、パチンコ玉回収装置４を取り付けた状態によって、玉受け部１０とアウト玉排出口３との間に間隔が生じる場合であっても、伸縮カバー１００をアウト玉排出口３に向けて伸ばして間隔を狭めることにより、アウト玉排出口３から排出されるアウト玉を玉受け部１０で確実に受け止めることができると共に、アウト玉以外の玉が玉受け部１０に飛び込むことを防止することができる。
【発明を実施するための最良の形態】
【００２０】
以下、図面を参照して本発明の実施形態について説明する。図１は、パチンコ機２の後面側下方に設置されているパチンコ玉回収装置４の斜視図であり、図２は、玉受け部１０に前後スライド部材２９を取り付ける状態を示す分解斜視図であり、図３は、前後スライド部材２９を取り外した状態の玉受け部１０の裏面側の斜視図であり、図４は、玉受け部１０に前後スライド部材２９を取り付ける状態を示す側面図であり、図５は、パチンコ玉回収装置４に左右スライド部材５０を取り付ける状態の分解斜視図であり、図６は、前後スライド部材２９の裏面側の斜視図であり、図７は、ベース部材７９にパチンコ玉回収装置４を取り付ける状態を示す斜視図であり、図８は、ベース部材７９を分解した状態と組み立てた状態を示す側面図であり、図９は、パチンコ玉回収装置４を回動させた状態の平面図であり、図１０は、パチンコ玉回収装置４の平面図であり、図１１は、パチンコ玉回収装置４に伸縮カバー１００を取り付けた状態の斜視図である。なお、以下の説明において、パチンコ機２の前面側を前面側、パチンコ機２の後面側を後面側として説明する。
【００２１】
パチンコ島台１は、周知のように、直方体状に枠組み構成され、その長手方向両面に複数のパチンコ機２を背向列設するようになっているものであるが、図１においては、その一部のみを図示している。図１に示すように、パチンコ島台１に設置されたパチンコ機２の後面側下方の位置には、パチンコ機２で使用されてアウト玉排出口３から排出されたパチンコ玉を受け入れ、この受け入れたパチンコ玉をパチンコ島台１内のアウト玉回収樋５（図９参照）に送るためのパチンコ玉回収装置４が設置されている。このパチンコ玉回収装置４は、後述するベース部材７９によってパチンコ島台１に取り付けられている。なお、パチンコ機２の後面側から排出されるパチンコ玉、即ち、アウト玉排出口３から排出されるパチンコ玉のことを、通称、「アウト玉」という。
【００２２】
次に、本発明の要部を構成するパチンコ玉回収装置４について図を参照して説明する。パチンコ玉回収装置４は、図２に示すように、主として、パチンコ島台１に設置されたパチンコ機２の後面側から排出されたパチンコ玉を受け入れる円筒形状の玉受け部１０と、この玉受け部１０で受け入れたパチンコ玉を一列で転動させてパチンコ島台１内の所定の回収樋であるアウト玉回収樋５へ排出する玉排出部１１とから構成されている。この玉受け部１０と玉排出部１１とは、玉受け部１０で受け入れたパチンコ玉が玉排出部１１へ誘導されるように、玉排出部１１の上流側の所定の長さに亘って連通している。具体的には、図１０で示すように、後述する上流湾曲部６０の範囲で、樋状に形成された玉排出部１１の左側辺７０と連通し、一方、玉排出部１１の右側辺７１は玉受け部１０の外周を構成する外周壁１５と内接している。このように、玉排出部１１と玉受け部１０とが上流湾曲部６０の範囲で内接して配置されることにより一体となり、玉受け部１０だけの形状で見れば、平面視でほぼ円形状に形成されている。また、図２の破線で示すように、玉受け部１０と一体に形成されている玉排出部１１の上流側は、玉受け部１０の底部を構成する底面部としての傾斜底面１２よりも低い位置に形成されているため、傾斜底面１２から玉排出部１１に向けてパチンコ玉が落下するようになっている。
【００２３】
ここで、玉受け部１０について、図２を参照して説明すると、玉受け部１０は、上記したように円筒形状に形成されると共に、その底部が傾斜底面１２として形成されている。この傾斜底面１２の表面には、玉受け部１０で受け入れたパチンコ玉が大きく弾んで玉受け部１０の外へ飛び出さないように、低反発性部材４７が貼付されている。また、玉受け部１０の外周は、上記したように、外周壁１５によって形成されている。
【００２４】
上記したように、玉排出部１１と玉受け部１０とが上流湾曲部６０の範囲で内接して配置されることにより一体となり、玉受け部１０だけの形状で見れば、平面視でほぼ円形状に形成されているため、玉受け部１０と玉排出部１１が一体となっていながら、玉受け部１０をその中心を回転軸として回転させた場合であってもパチンコ玉を受け止める範囲が変化しない、という円筒型のパチンコ玉回収装置４の特徴を活かすことができると共にパチンコ玉回収装置４の意匠性も高めることができる。
【００２５】
また、外周壁１５は、その一部が切り欠かれて玉排出部１１の下流側を外側へ突出させるための連通口４８として形成されており、この連通口４８は、玉排出部１１の後述する排出部底面１７が連通するものである。また、外周壁１５の上端部近傍には、後述する伸縮カバー１００を取り付けるためのカバー止めネジ１０３が螺着する取付ネジ穴１６が穿設されている。
【００２６】
ところで、上記した傾斜底面１２は、玉排出部１１の上流側に向けて下り傾斜して形成されるものであるが、その下流端である最下部１３は、図１０に示すように、玉排出部１１の上流端部４６から下流側へパチンコ玉１個分の範囲内となるように位置している。
【００２７】
これにより、玉受け部１０で受け止められたパチンコ玉が玉排出部１１に誘導される際、玉受け部１０内のパチンコ玉量が少量のときには、パチンコ玉が玉排出部１１の上流側に向けて転動した後、玉排出部１１の上流側から下流側に向けて一列に整列されながら玉排出部１１内を下流側に向けてスムーズに転動していく。一方、玉受け部１０内のパチンコ玉量が多量のときには、玉排出部１１側の傾斜底面１２上のパチンコ玉が、既に玉排出部１１を転動しているパチンコ玉の上方から覆いかぶさるように玉排出部１１に誘導され、玉排出部１１内のパチンコ玉と共に一列に整列されながら玉排出部１１の下流側に向けてスムーズに転動していく。以上のことより、玉受け部１０で受け止めたパチンコ玉がたとえ多量であったとしても玉受け部１０からスムーズに玉排出部１１へ誘導させると共に、玉排出部１１からパチンコ玉をスムーズに所定の回収樋であるアウト玉回収樋５へ排出させることができる。
【００２８】
また、玉受け部１０の裏面側には、図２に示すように、玉受け部１０を後述する左右スライド部材５０に取り付けるための前後スライド部材２９が取り付けられている。この前後スライド部材２９は、その後面側の端部の一部が玉受け部１０の裏面側の形状と一致するようにほぼ半円形状に突設し、全体的に長方形状に形成されるものであり、その上面中央には、玉受け部１０の後述する取付部２５（図３参照）に挿入される取付挿入部３０が突設されている。この取付挿入部３０の外周面には、玉受け部１０の後述する係合片２６（図３参照）と係合する係合凹凸部３１が形成されている。また、前後スライド部材２９の中央には、前後スライド部材２９を玉受け部１０に取り付けるための取付部材３３が挿入される挿入穴３２が穿設されている。更に、前後スライド部材２９の上面の一側方には、後述する止め部材５６が挿通される挿通長穴２１が後述するベース部材７９の長手方向と直交する方向で形成されている。
【００２９】
また、玉受け部１０の裏面側には、上記したように取付部２５が形成されており、この取付部２５は、図３に示すように、傾斜底面１２のほぼ中央に円筒形状で突設されるものである。また、取付部２５の内側であって傾斜底面１２のほぼ中央には、玉受け部１０に前後スライド部材２９を取り付けるための取付ネジ穴２８が穿設された取付ボス２７が突設されている。
【００３０】
なお、上記した玉受け部１０の取付部２５，係合片２６，取付ボス２７、前後スライド部材２９の取付挿入部３０、及び取付部材３３によって回転機構が構成されるものである。
【００３１】
しかして、図２及び図４に示すように、前後スライド部材２９を玉受け部１０の裏面側に取り付けるには、取付部材３３に突設された取付凸部３４を前後スライド部材２９の挿入穴３２に挿入した状態で、前後スライド部材２９を玉受け部１０の裏面に当接させる。このとき、取付凸部３４に穿設されたボス挿入穴３５に取付ボス２７が挿入される。そして、取付部材３３の下方からボス挿入穴３５に挿入した取付ネジ３６を、取付ボス２７の取付ネジ穴２８に螺着することにより、図４に示すように、前後スライド部材２９が玉受け部１０の裏面側に取り付けられる。これにより、前後スライド部材２９が玉受け部１０に対して回転可能に取り付けられるが、このとき、係合凹凸部３１の凹部に係合片２６が係合するため、前後スライド部材２９が玉受け部１０に対して固定される。
【００３２】
しかし、取付部２５の壁面は外側に向けてたわむため、前後スライド部材２９を玉受け部１０に対して回転させたときは、係合片２６が係合凹凸部３１の凸部に乗り上がる。従って、前後スライド部材２９は、係合凹凸部３１の凹部と係合片２６が噛み合う位置で固定されながらも玉受け部１０に対して回転させることができる。なお、取付部材３３下部の円板の上面に形成された、前後スライド部材２９の裏面側と当接する複数の略半球状の凸部４１は、取付部材３３と前後スライド部材２９が摺動する際に生じる摩擦を低減するために設けられている。
【００３３】
次に、玉排出部１１について説明すると、上記したように、玉排出部１１の上流側の所定区間は、玉受け部１０の外形に沿った湾曲形状で玉受け部１０と一体的に、上流湾曲部６０として形成されている。そして、玉排出部１１は、図１０で示すように、上記した上流湾曲部６０と、上流湾曲部６０とは逆向きの湾曲形状で形成され且つ上流湾曲部６０の下流側に接続する下流湾曲部６１と、直線形状で形成され且つ下流湾曲部６１の下流側に接続する下流直線部６２と、から構成されている。即ち、平面視で略Ｓ字形状に形成されるものである。このように、玉排出部１１が平面視で略Ｓ字形状に形成されているため、玉排出部１１の長手方向の寸法を抑えながら、パチンコ玉を一列に整列させてスムーズにアウト玉回収樋５へ誘導させるために必要な玉排出部１１の通路の長さを確保することができる。なお、上記した下流湾曲部６１は、その湾曲部分の外側が湾曲部外周６３、湾曲部分の内側が湾曲部内周６４として形成されている。
【００３４】
また、玉排出部１１は、上記した下流湾曲部６１から下流側の部分が玉受け部１０から突出して形成され、この突出した部分では、図２に示すように、その側面が側壁２０として形成されている。また、玉排出部１１の底部は、排出部底面１７として形成され、この排出部底面１７の下流端には、図１０に示すように、パチンコ玉を略垂直に落下させるためのパチンコ玉落下口５７が形成されている。この排出部底面１７は、図２に示すように、下流側の所定の区間が勾配の緩やかな緩勾配区間１９として形成されると共に、この緩勾配区間１９以外の区間が緩勾配区間１９よりも勾配が急な急勾配区間１８として形成されている。
【００３５】
このため、玉排出部１１の下流側で玉詰まりを起こしている場合には、玉排出部１１の急勾配区間１８を速い速度で流下するパチンコ玉が、下流側で玉詰まりを起こしているパチンコ玉に衝突することによる衝撃と振動によって玉詰まりを解消することができる。このように、玉排出部１１の下流側、より詳細には、後述する玉計数器３９で玉詰まりを起こしている場合には、この玉詰まりによってパチンコ玉が緩勾配区間１９に停滞することになるため、即ち、実質、緩勾配区間１９がないのも同然となるため、急勾配区間１８を流下するパチンコ玉の速度があまり減速されることなく、玉詰まりをしているパチンコ玉に衝突して玉詰まりを解消し易くなる。一方、玉排出部１１の下流側で玉詰まりを起こしていない場合には、緩勾配区間１９にパチンコ玉が存在していないため、急勾配区間１８を流下してきたパチンコ玉は、緩勾配区間１９によってその流下速度が減速され、玉排出部１１からパチンコ玉を直下させる箇所でパチンコ玉が不規則に跳ね上がる等の現象が起きることがなく、パチンコ玉を玉排出部１１からスムーズに排出することができる。
【００３６】
なお、本実施形態においては、緩勾配区間１９は、パチンコ玉落下口５７の中心から上流側に向けてパチンコ玉の直径の５〜６倍の長さで形成されている。これにより、玉排出部１１の下流側での玉詰まりを起こしている場合に、緩勾配区間１９に約５〜６個までのパチンコ玉が停滞して緩勾配区間１９が適度な距離に短くなるため、急勾配区間１８を流下してきたパチンコ玉の流下速度を減速させることなく、停滞しているパチンコ玉に適切な衝撃力で衝突させることができる。一方、玉排出部１１の下流側での玉詰まりを起こしていない場合には、急勾配区間１８を流下してきたパチンコ玉の速度を十分に減速させることができるため、玉排出部１１からパチンコ玉を直下させる箇所でパチンコ玉が不規則に跳ね上がる等の現象が起きることなく、パチンコ玉を玉排出部１１からスムーズに排出することができる。
【００３７】
また、排出部底面１７の上流端部４６と玉受け部１０の傾斜底面１２との間には、段差１４が形成されている。
【００３８】
このように、段差１４が形成されているため、玉受け部１０から玉排出部１１へのパチンコ玉の誘導の際に、パチンコ玉が玉受け部１０から玉排出部１１へ落下することとなるため、よりスムーズにパチンコ玉を玉受け部１０から玉排出部１１へ誘導することができる。
【００３９】
また、玉排出部１１の下流側であって、上記した緩勾配区間１９にほぼ対応する位置は、パチンコ玉回収装置４から排出されるパチンコ玉を検出する玉計数器３９を取り付けるための部材取付部４９として形成されている。この部材取付部４９には、図２に示すように、玉計数器３９が挿入された取付部材３７が取付ネジ３８によって取り付けられ、これにより、パチンコ玉回収装置４に玉計数器３９が取り付けられることとなる。なお、玉計数器３９の後面側には、パチンコ玉落下口５７に対応し、パチンコ玉が通過する玉通過穴４０が形成されている。
【００４０】
上記したように、回転機構によって玉受け部１０の傾斜底面１２の中心を回転中心として玉受け部１０を回転させることにより、玉排出部１１を所定範囲内で回動させることができるため、パチンコ玉の排出位置を変更することができる。このとき、玉受け部１０が円筒形状に形成されているため、玉受け部１０のパチンコ玉を受け止める領域がほとんど変わることがない。このように、玉受け部１０のパチンコ玉を受け止める領域をほとんど変えることなく、パチンコ玉の排出位置を自由に変更することができる。
【００４１】
次に、上記したパチンコ玉回収装置４をパチンコ機２に対して前後方向にスライド移動させるための前後スライド機構と、パチンコ機２に対して左右方向にスライド移動させるための左右スライド機構と、について説明する。本実施形態に係るパチンコ玉回収装置４には、パチンコ機２の左右方向（横幅方向）に略平行となるようにアウト玉回収樋５の上方に設置されるベース部材７９と、パチンコ玉回収装置４をベース部材７９に取り付けると共に左右方向（ベース部材７９の長手方向）に沿ってスライド移動する左右スライド部材５０と、玉受け部１０の下部に取り付けられて前後方向（ベース部材７９の長手方向と直交する方向）で左右スライド部材５０に対してスライド移動する前後スライド部材２９と、パチンコ玉回収装置４を左右スライド部材５０に対して前後方向でスライド移動させる前後スライド機構と、パチンコ玉回収装置４が取り付けられた左右スライド部材５０をベース部材７９に対して左右方向でスライド移動させる左右スライド機構と、が備えられている。
【００４２】
しかして、前後スライド機構は、主に、左右スライド部材５０の上部に形成された後述する第１スライド部５１と、玉受け部１０の前後スライド部材２９の裏面側に形成された後述する第２スライド部４２と、から構成されるものであり、以下に、その詳細を説明する。なお、左右スライド機構に関しては、前後スライド機構の説明の後で説明を行う。
【００４３】
まず、左右スライド部材５０は、図５に示すように、縦断面視がほぼコ字状に形成され、その上面側の長手方向（左右方向）ほぼ中央には、前後スライド部材２９の第２スライド部４２が設置される前後スライド部材設置部５８が形成されると共に、内側面上部には後述する摺動ガイド板８２の摺動凸部８３上を摺動する摺動突起５４が長手方向に亘って２箇所突設されている。また、上面の長手方向の一側方には、左右スライド部材５０を後述する取付ベース８０に取り付けて位置決めするための止め部材５６が挿通される挿通穴５５が穿設されている。なお、この止め部材５６は、図７に示すように、止め部材５６を回動操作するための操作部５２と、この操作部５２に連接すると共に螺合溝が形成される螺合材５３と、から構成されるものである。
【００４４】
上記した前後スライド部材設置部５８の両側方には、前後スライド部材２９の裏面側に形成される、後述する第２スライド部４２と係合する第１スライド部５１が突設されている。この第１スライド部５１は、下方から上方にかけて徐々にその突出寸法が大きくなる断面三角形状に形成されるものである。
【００４５】
次に、玉受け部１０に取り付けられる前後スライド部材２９は、図６に示すように、その裏面側のほぼ中央に前後方向に亘って、左右スライド部材５０に設置するための左右スライド部材設置部４３が突設されている。この左右スライド部材設置部４３の両側方には、上記した左右スライド部材５０に突設された第１スライド部５１と係合する第２スライド部４２が突設されている。この第２スライド部４２は、上方から下方にかけて徐々にその突出寸法が大きくなる台形形状に形成されるものである。
【００４６】
しかして、玉受け部１０の裏面側に取り付けられた前後スライド部材２９に形成された第２スライド部４２を、左右スライド部材５０に形成された第１スライド部５１に係合させることにより、玉受け部１０と左右スライド部材５０とが組み立てられる。このようにして組み立てられたパチンコ玉回収装置４の前後スライド機構を構成する第２スライド部４２を第１スライド部５１に沿って摺動させることにより、前後スライド部材２９が左右スライド部材５０に対してスライド移動する。即ち、玉受け部１０が左右スライド部材５０に対してパチンコ機２の前後方向でスライド移動することとなる。
【００４７】
上記したように、パチンコ玉回収装置４は、前後スライド機構によってパチンコ機２の前後方向で移動可能に構成されているが、左右スライド機構によってパチンコ島台１に備えられたベース部材７９に対して、パチンコ機２の左右方向にも移動することができる。そこで、次に、この左右スライド機構の構成について説明する。
【００４８】
しかして、左右スライド機構は、主に、側面視及び縦断面視が略コの字状に形成され上方にパチンコ玉回収装置４が設置される左右スライド部材５０と、この左右スライド部材５０の略コの字状の形状に嵌合し、左右スライド部材５０が上面部を摺動するベース部材７９の上面部を覆うほぼ平板状の摺動ガイド板８２と、から構成されるものであり、以下にその詳細を説明する。
【００４９】
ベース部材７９は、図１で示すように、パチンコ機２の左右方向（横幅方向）で長尺な箱形状に形成されるものであり、パチンコ機２の左右方向と平行となるようにアウト玉回収樋５の上方に設置されるものである。このベース部材７９は、図７に示すように、主として、パチンコ島台１に直接取り付けられる取付ベース８０と、その上面部をパチンコ玉回収装置４が移動する摺動ガイド板８２と、から構成されている。
【００５０】
取付ベース８０は、上方が開口した箱形状に形成されており、その内部には、後述する取付部材９０が摺動する摺動溝８１が長手方向に亘って形成されている。また、摺動ガイド板８２は、ほぼ平板状に形成されるものであり、その中央には、止め部材５６が挿通される挿通溝８４が長手方向に亘って形成されると共に、この挿通溝８４の両側方であって摺動ガイド板８２の上面には、パチンコ玉回収装置４を備えた左右スライド部材５０を当接させたときに、左右スライド部材５０内側の摺動突起５４が当接する摺動凸部８３が長手方向に亘って形成されている。
【００５１】
また、上記したように、取付ベース８０の摺動溝８１内を取付部材９０が摺動できるようになっているが、この取付部材９０は、図７に示すように、六角柱形状に形成されるものであり、その軸中心に止め部材５６が螺着する螺合穴９１が穿設されると共に、その側壁が摺動溝８１の側壁と当接する摺動面９２として形成されている。また、この取付部材９０は、取付ベース８０に挿入された際に、挿通溝８４の裏側に配置されるものである。
【００５２】
しかして、ベース部材７９を組み立てると共にパチンコ玉回収装置４を取り付けるには、図７に示すように、取付ベース８０の摺動溝８１に取付部材９０を挿入した後、摺動ガイド板８２の挿通溝８４に挿通した取付ネジ８６によって取付ベース８０に取り付ける。そして、前後スライド部材２９の挿通長穴２１、左右スライド部材５０の挿通穴５５、摺動ガイド板８２の挿通溝８４の順に挿通した止め部材５６を取付部材９０の螺合穴９１に螺着する。これにより、図８に示すように、ベース部材７９が組み立てられると共に、左右スライド部材５０及び玉受け部１０が取り付けられた前後スライド部材２９がベース部材７９に取り付けられる。このとき、止め部材５６の操作部５２を時計回りに回転させることにより取付部材９０が上方に移動し、図８（Ｂ）で示すように、取付部材９０の上面が摺動ガイド板８２の下面と当接することとなる。このように、止め部材５６を締め付けることにより、前後スライド部材２９、左右スライド部材５０、ベース部材７９の上面が操作部５２と止め部材５６とで挟持されるため、前後スライド部材２９及び左右スライド部材５０、即ち、パチンコ玉回収装置４がベース部材７９に対して固定されることとなる。なお、ベース部材７９は、固定ネジ８５によってパチンコ島台１に対して取り付けられる。
【００５３】
上記のようにして組み立てられたパチンコ玉回収装置４の及び前後スライド機構及び左右スライド機構は、パチンコ玉回収装置４の位置を前後方向及び左右方向に移動させる場合には、止め部材５６を弛めて摺動ガイド板８２の挟持を解除する。摺動ガイド板８２の挟持を解除することにより、パチンコ玉回収装置４が備えられた左右スライド部材５０及び前後スライド部材２９が移動可能になるため、パチンコ玉回収装置４を所望の位置に移動させ、再び止め部材５６を締め付けることにより、パチンコ玉回収装置４を任意の位置で固定することができる。
【００５４】
以上のように、玉受け部１０を前後方向の移動に係る前後スライド機構と左右方向の移動に係る左右スライド機構の両方に関わる一つの止め部材５６で、左右スライド部材５０及び前後スライド部材２９を固定することができるため、パチンコ玉回収装置４の製造コストの削減及び、玉受け部１０を固定する際の作業者の作業負担の軽減を図ることができる。
【００５５】
ところで、前述したように、パチンコ玉回収装置４は、回転機構によって玉受け部１０の傾斜底面１２の中心を回転中心として玉受け部１０を回転させることにより、玉排出部１１を所定範囲内で回動させることができる。この玉排出部１１の回動範囲は、図９で示すように、玉排出部１１のパチンコ玉落下口５７がほぼアウト玉回収樋５の上方に位置する範囲である。このように、玉排出部１１が所定範囲内に位置している場合においては、上記した止め部材５６は、図９に示すように、下流湾曲部６１の湾曲部外周６３側に位置することなく湾曲部内周６４側に位置するよう配置されている。このため、前後スライド部材２９の長手方向の長さを短くし、止め部材５６を玉受け部１０の近傍に配置した場合であっても、止め部材５６と下流湾曲部６１とが干渉することがないため、玉受け部１０の回転による玉排出部１１の回動範囲をより広く確保することができる。
【００５６】
ここで、仮に止め部材５６が図９のＡで示す位置、即ち、下流湾曲部６１の湾曲部外周６３側に位置している場合には、図のように下流湾曲部６１と止め部材５６とが干渉してしまい、玉受け部１０の回転による玉排出部１１の回動範囲が狭くなってしまう。
【００５７】
以上、パチンコ玉回収装置４の前後スライド機構及び左右スライド機構の構成等について説明したが、次に、パチンコ玉回収装置４の玉受け部１０に取り付けられ、対応するパチンコ機２から排出されるアウト玉以外のパチンコ玉が玉受け部１０に入ることを防止するための伸縮カバー１００について、図１１を参照して説明する。
【００５８】
この伸縮カバー１００は、図１１に示すように、玉受け部１０の円筒形状の外周壁１５の外周に玉受け部１０と同心円状に設けられるものである。この伸縮カバー１００には、玉受け部１０の連通口４８と対応する箇所に逃げ穴１０２が形成されており、伸縮カバー１００を玉受け部１０に取り付けた際、玉排出部１１の側壁２０がこの逃げ穴１０２に挿入されるようになっている。また、伸縮カバー１００の側方には、伸縮カバー１００を玉受け部１０に対して固定するためのカバー止めネジ１０３が挿通されるネジ挿通溝１０１が形成されている。
【００５９】
しかして、伸縮カバー１００を玉受け部１０に取り付けるには、逃げ穴１０２を連通口４８が形成されている箇所に位置させながら、伸縮カバー１００を玉受け部１０の外周に沿って挿入する。このとき、伸縮カバー１００のネジ挿通溝１０１内に玉受け部１０の取付ネジ穴１６が位置する。そして、この取付ネジ穴１６にカバー止めネジ１０３を螺着することにより、伸縮カバー１００が玉受け部１０に対して固定される。ネジ挿通溝１０１は、図１１に示すように、長穴形状に形成されているため、ネジ挿通溝１０１にカバー止めネジ１０３を挿入し緩めた状態で伸縮カバー１００をネジ挿通溝１０１の長さの範囲内で上下させることができ、また、カバー止めネジ１０３を締め付けることにより、任意の位置で伸縮カバー１００を固定することができる。
【００６０】
上記のように、玉受け部１０の外周壁１５の外周には、上下方向に伸縮する伸縮カバー１００が設けられているため、パチンコ玉回収装置４を取り付けた状態によって、玉受け部１０とアウト玉排出口３との間に間隔が生じる場合であっても、伸縮カバー１００をアウト玉排出口３に向けて伸ばして間隔を狭めることにより、アウト玉排出口３から排出されるアウト玉を玉受け部１０で確実に受け止めることができると共に、アウト玉以外の玉が玉受け部１０に飛び込むことを防止することができる。
【００６１】
なお、上記した実施形態においては、図１０に示すように、玉排出部１１の上流側の上流湾曲部６０を、玉受け部１０の外周を構成する外周壁１５に内接させて配置したものを示したが、これに限らず、例えば、玉排出部１１の上流側の上流湾曲部６０を傾斜底面１２の外周に外接させて配置したものであってもよい。
【００６２】
また、上記した実施形態においては、玉受け部１０と玉排出部１１とを一体成型により、一体的に形成したものを示したが、これに限らず、本発明の技術思想から逸脱しないものであれば、玉受け部１０と玉排出部１１とを個別に成型して接続する構成のものであってもよい。
【００６３】
また、上記した本実施形態においては、玉受け部１０の傾斜底面１２に低反発性部材４７を貼付したものを示したが、これに限らず、無反発性部材が貼付されているものであってもよい。
【００６４】
また、上記した実施形態においては、玉受け部１０が設置される遊技機としてパチンコ機２を示したが、これに限らず、パチンコ玉を使用する遊技機であれば、例えば、パロット，雀球等の遊技機であってもよい。
【図面の簡単な説明】
【００６５】
【図１】パチンコ機の後面側下方に設置されているパチンコ玉回収装置の斜視図である。
【図２】玉受け部１０に前後スライド部材２９を取り付ける状態を示す分解斜視図である。
【図３】前後スライド部材を取り外した状態の玉受け部の裏面側の斜視図である。
【図４】玉受け部に前後スライド部材を取り付ける状態を示す側面図である。
【図５】パチンコ玉回収装置に左右スライド部材を取り付ける状態の分解斜視図である。
【図６】前後スライド部材の裏面側の斜視図である。
【図７】ベース部材にパチンコ玉回収装置を取り付ける状態を示す斜視図である。
【図８】ベース部材を分解した状態と組み立てた状態を示す側面図である。
【図９】パチンコ玉回収装置を回動させた状態の平面図である。
【図１０】パチンコ玉回収装置の平面図である。
【図１１】パチンコ玉回収装置に伸縮カバーを取り付けた状態の斜視図である。
【符号の説明】
【００６６】
１  パチンコ島台
２  パチンコ機
４  パチンコ玉回収装置
５  アウト玉回収樋
１０  玉受け部
１１  玉排出部
１２  傾斜底面
１５  外周壁
２１  挿通長穴
２９  前後スライド部材
３３  取付部材
５０  左右スライド部材
５２  操作部
５３  螺合材
５５  挿通穴
５６  止め部材
６０  上流湾曲部
６１  下流湾曲部
６２  下流直線部
６３  湾曲部外周
６４  湾曲部内周
７９  ベース部材
８４  挿通溝
９０  取付部材
９１  螺合穴
１００  伸縮カバー
【図１】
2005319126.tif 000003
【図２】
2005319126.tif 000004
【図３】
2005319126.tif 000005
【図４】
2005319126.tif 000006
【図５】
2005319126.tif 000007
【図６】
2005319126.tif 000008
【図７】
2005319126.tif 000009
【図８】
2005319126.tif 000010
【図９】
2005319126.tif 000011
【図１０】
2005319126.tif 000012
【図１１】
2005319126.tif 000013